(57)【特許請求の範囲】
【請求項１】
同色で同時に発光する複数の半導体発光素子と、
上記複数の半導体発光素子を冷却する冷却手段と、
上記複数の半導体発光素子に対し、上記冷却手段による冷却効果が異なる複数の位置の温度を検出する検出手段と、
上記検出手段での検出結果に基づき、上記複数の半導体発光素子を区分して当該複数の半導体発光素子の発光状態をそれぞれ制御する発光制御手段と、
を具備し、
上記複数の半導体発光素子は原色光を発光し、
上記発光制御手段は、上記複数の半導体発光素子と上記複数の半導体発光素子以外の他の原色光発光体とが同時に発光することで発生させる混色光発光の有無により、上記複数の半導体発光素子を区分して当該複数の半導体発光素子の発光デューティ比をそれぞれ制御する
ことを特徴とする光源装置。
【請求項２】
上記発光制御手段は、上記複数の半導体発光素子の駆動電流及び駆動電圧の少なくとも一方を制御することを特徴とする請求項１記載の光源装置。
【請求項３】
同色で同時に発光する複数の半導体発光素子と、
上記複数の半導体発光素子を冷却する冷却手段と、
上記複数の半導体発光素子に対し、上記冷却手段による冷却効果が異なる複数の位置の温度を検出する検出手段と、
上記検出手段での検出結果に基づき、上記複数の半導体発光素子を区分して当該複数の半導体発光素子の発光状態をそれぞれ制御する発光制御手段と、
を具備し、
上記発光制御手段は、時分割駆動で割り当てられた上記複数の半導体発光素子の発光期間に対する、発光開始及び発光停止の少なくとも一方のタイミング調整により上記複数の半導体発光素子を区分して当該複数の半導体発光素子の発光デューティ比をそれぞれ制御する
ことを特徴とする光源装置。
【請求項４】
上記発光制御手段は、上記複数の半導体発光素子の駆動電流及び駆動電圧の少なくとも一方を制御することを特徴とする請求項３記載の光源装置。
【請求項５】
原色光を同色で同時に発光する複数の半導体発光素子、上記複数の半導体発光素子を冷却する冷却部、上記複数の半導体発光素子に対し、上記冷却部による冷却効果が異なる複数の位置の温度を検出する検出部、及び、上記検出部での検出結果に基づき、上記複数の半導体発光素子を区分して当該複数の半導体発光素子の発光状態をそれぞれ制御する発光制御部を有する光源と、
画像信号を入力する入力手段と、
上記入力手段で入力した画像信号に基づき、上記光源からの光を用いて光像を形成する光像形成手段と、
上記光像形成手段で形成した光像を投影対象に向けて投影する投影手段と、
を具備し、
上記発光制御部は、上記複数の半導体発光素子と上記複数の半導体発光素子以外の他の原色光発光体とが同時に発光することで発生させる混色光発光の有無により、上記複数の半導体発光素子を区分して当該複数の半導体発光素子の発光デューティ比をそれぞれ制御する
ことを特徴とする投影装置。
【請求項６】
同色で同時に発光する複数の半導体発光素子、上記複数の半導体発光素子を冷却する冷却部、上記複数の半導体発光素子に対し、上記冷却部による冷却効果が異なる複数の位置の温度を検出する検出部、及び、上記検出部での検出結果に基づき、上記複数の半導体発光素子を区分して当該複数の半導体発光素子の発光状態をそれぞれ制御する発光制御部を有する光源と、
画像信号を入力する入力手段と、
上記入力手段で入力した画像信号に基づき、上記光源からの光を用いて光像を形成する光像形成手段と、
上記光像形成手段で形成した光像を投影対象に向けて投影する投影手段と、
を具備し、
上記発光制御部は、時分割駆動で割り当てられた上記複数の半導体発光素子の発光期間に対する、発光開始及び発光停止の少なくとも一方のタイミング調整により上記複数の半導体発光素子を区分して当該複数の半導体発光素子の発光デューティ比をそれぞれ制御する
ことを特徴とする投影装置。
【請求項７】
原色光を同色で同時に発光する複数の半導体発光素子、及び上記複数の半導体発光素子を冷却する冷却部を備えた装置での光源制御方法であって、
上記複数の半導体発光素子に対し、上記冷却部による冷却効果が異なる複数の位置の温度を検出する検出工程と、
上記検出工程での検出結果に基づき、上記複数の半導体発光素子を区分して当該複数の半導体発光素子の発光状態をそれぞれ制御する制御工程と、
を有し、
上記制御工程は、上記複数の半導体発光素子と上記複数の半導体発光素子以外の他の原色光発光体とが同時に発光することで発生させる混色光発光の有無により、上記複数の半導体発光素子を区分して当該複数の半導体発光素子の発光デューティ比をそれぞれ制御する
ことを特徴とする光源制御方法。
【請求項８】
同色で同時に発光する複数の半導体発光素子、及び上記複数の半導体発光素子を冷却する冷却部を備えた装置での光源制御方法であって、
上記複数の半導体発光素子に対し、上記冷却部による冷却効果が異なる複数の位置の温度を検出する検出工程と、
上記検出工程での検出結果に基づき、上記複数の半導体発光素子を区分して当該複数の半導体発光素子の発光状態をそれぞれ制御する制御工程と、
を有し、
上記制御工程は、時分割駆動で割り当てられた上記複数の半導体発光素子の発光期間に対する、発光開始及び発光停止の少なくとも一方のタイミング調整により上記複数の半導体発光素子を区分して当該複数の半導体発光素子の発光デューティ比をそれぞれ制御する
ことを特徴とする光源制御方法。
【請求項９】
半導体発光素子と、
上記半導体発光素子を冷却する冷却手段と、
上記半導体発光素子に対し、上記冷却手段による冷却効果が異なる温度を検出する検出手段と、
上記検出手段での検出結果に基づき、上記半導体発光素子を区分して当該半導体発光素子の発光状態を制御する発光制御手段と、
を具備し、
上記発光制御手段は、上記半導体発光素子と上記半導体発光素子以外の他の発光体とが同時に発光することで発生させる混色光発光の有無により、上記半導体発光素子の発光デューティ比を制御する
ことを特徴とする光源装置。
【請求項１０】
半導体発光素子と、
上記半導体発光素子を冷却する冷却手段と、
上記半導体発光素子に対し、上記冷却手段による冷却効果が異なる温度を検出する検出手段と、
上記検出手段での検出結果に基づき、上記半導体発光素子の発光状態を制御する発光制御手段と、
を具備し、
上記発光制御手段は、時分割駆動で割り当てられた上記半導体発光素子の発光期間に対する、発光開始及び発光停止の少なくとも一方のタイミング調整により上記半導体発光素子の発光デューティ比をそれぞれ制御する
ことを特徴とする光源装置。
【発明の詳細な説明】
【技術分野】
【０００１】
本発明は、同色複数の半導体光源素子を用いるデータプロジェクタ等に好適な光源装置、投影装置及び光源制御方法に関する。
【背景技術】
【０００２】
プロジェクタ用の光源として、従前の高圧水銀灯などの放電管に代えて、低消費電力ながら高い輝度によりカラー表示を行なわせることが可能な、発光ダイオード（以下「ＬＥＤ」と称する）やレーザダイオード（以下「ＬＤ」と称する）等の半導体発光素子を使用したものが多く考えられている。（例えば、特許文献１）
【先行技術文献】
【特許文献】
【０００３】
【特許文献１】特開２００４−３４１１０５号公報
【発明の概要】
【発明が解決しようとする課題】
【０００４】
この種の半導体発光素子を光源に用いるプロジェクタにおいて、充分な光量を得るべく同色の発光素子を複数用い、同時に発光駆動する場合を考える。この場合、複数の発光素子が同様の輝度で発光することにより投影する画面の明るさが均一となる反面、複数の発光素子の輝度にばらつきを生じると、それに応じて投影する画面の明るさにむらを生じることになる。
【０００５】
本発明は上記のような実情に鑑みてなされたもので、その目的とするところは、複数の同色半導体発光素子の輝度のばらつきを抑制することで、複数の同色半導体発光素子を同時に発光する場合に生じる明るさのむらを解消し、常に明るさを均一に維持することが可能な光源装置、投影装置及び光源制御方法を提供することにある。
【課題を解決するための手段】
【０００６】
本発明の一態様は、同色で同時に発光する複数の半導体発光素子と、上記複数の半導体発光素子を冷却する冷却手段と、上記複数の半導体発光素子に対し、上記冷却手段による冷却効果が異なる複数の位置の温度を検出する検出手段と、上記検出手段での検出結果に基づき、上記複数の半導体発光素子を区分して当該複数の半導体発光素子の発光状態をそれぞれ制御する発光制御手段とを具備したことを特徴とする。
【発明の効果】
【０００７】
本発明によれば、複数の同色半導体発光素子を同時に発光する場合に生じる明るさのむらを解消し、常に明るさを均一に維持することが可能となる。
【図面の簡単な説明】
【０００８】
【図１】本発明の第１の実施形態に係るデータプロジェクタ装置の構成を示す図。
【図２】同実施形態に係る第１の動作例を説明するタイミングチャート。
【図３】同実施形態に係る第２の動作例を説明するタイミングチャート。
【図４】同実施形態に係る第３の動作例を説明するタイミングチャート。
【図５】本発明の第２の実施形態に係るデータプロジェクタ装置の構成を示す図。
【発明を実施するための形態】
【０００９】
（第１の実施形態）  
［構成］  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００１０】
図１は、本実施形態に係るデータプロジェクタ装置１０の概略機能構成を示す図である。  
入力部１１は、例えばピンジャック（ＲＣＡ）タイプのビデオ入力端子、Ｄ−ｓｕｂ１５タイプのＲＧＢ入力端子などにより構成される。入力部１１に入力された各種規格のアナログ画像信号は、入力部１１でデジタル化された後に、システムバスＳＢを介して画像変換部１２に送られる。
【００１１】
画像変換部１２は、スケーラとも称され、入力される画像データを投影に適した所定のフォーマットの画像データに統一して投影画像駆動部１３へ送る。
【００１２】
この際、ＯＳＤ（Ｏｎ  Ｓｃｒｅｅｎ  Ｄｉｓｐｌａｙ）用の各種動作状態を示すシンボル等のデータも必要に応じて画像変換部１２により画像データに重畳加工され、加工後の画像データが投影画像駆動部１３へ送られる。
【００１３】
投影画像駆動部１３は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子であるマイクロミラー素子１４を表示するべく駆動する。
【００１４】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００１５】
一方で、光源部１５から時分割でＲ，Ｇ，Ｂの原色光が循環的に出射される。この光源部１５からの原色光が、ミラー１６で全反射して上記マイクロミラー素子１４に照射される。
【００１６】
そして、マイクロミラー素子１４での反射光で光像が形成され、形成された光像が投影レンズ部１７を介して、投影対象となる図示しないスクリーンに投影表示される。
【００１７】
光源部１５は、緑色のレーザ光を発するＬＤを複数、例えば３行×６列の計１８個をアレイ配列したＧ−ＬＤアレイ部１８を有する。この図１では紙面を列方向として６個のみを抽出して示している。
【００１８】
Ｇ−ＬＤアレイ部１８が発する緑色のレーザ光は、ミラーアレイ部１９でそれぞれ９０°の角度をもって全反射され、集光レンズ部２０により略平行な光束光とされた後に、ダイクロイックミラー２１を透過し、インテグレータ２２で輝度分布が略均一な光束とされ、上記ミラー１６へ送られる。
【００１９】
また上記光源部１５は、赤色光を発するＲ−ＬＥＤ２３を有する。このＲ−ＬＥＤ２３の発する赤色光は、ダイクロイックミラー２４で反射され、さらに上記ダイクロイックミラー２１でも反射された後に、上記インテグレータ２２で輝度分布が略均一な光束とされ、上記ミラー１６へ送られる。
【００２０】
さらに上記光源部１５は、青色のレーザ光を発するＬＤを複数、例えば３行×６列の計１８個をアレイ配列したＢ−ＬＤアレイ部２５を有する。この図１では紙面を列方向として６個のみを抽出して示している。
【００２１】
Ｂ−ＬＤアレイ部２５が発する青色のレーザ光は、ミラーアレイ部２６でそれぞれ９０°の角度をもって全反射され、集光レンズ部２７により略平行な光束光とされた後にミラー２８で全反射される。さらにこの青色のレーザ光は、上記ダイクロイックミラー２４を透過し、上記ダイクロイックミラー２１で反射された後に、上記インテグレータ２２で輝度分布が略均一な光束とされ、上記ミラー１６へ送られる。
【００２２】
以上の如く、ダイクロイックミラー２１は、緑色光を透過する一方で、青色光及び赤色光を反射する。また上記ダイクロイックミラー２４は、赤色光を反射する一方で、青色光を透過する。  
上記光源部１５のＧ−ＬＤアレイ部１８に対して冷却ファン２９が設けられる。この冷却ファン２９は、ファンモータ（Ｍ）３０により回動されて冷却風を発生し、Ｇ−ＬＤアレイ部１８を冷却する。
【００２３】
Ｇ−ＬＤアレイ部１８内で上記冷却風に対して上流側、中央、及び下流側にそれぞれ温度センサ３１〜３３を設ける。これら温度センサ３１〜３３での検出温度は、光源駆動部３４に送出される。
【００２４】
この光源駆動部３４は、上記Ｇ−ＬＤアレイ部１８の発光と、上記ファンモータ３０の駆動による冷却ファン２９での冷却風の発生とを合わせて実行する。
【００２５】
同様に上記光源部１５のＢ−ＬＤアレイ部２５に対して冷却ファン３５が設けられる。この冷却ファン３５は、ファンモータ（Ｍ）３６により回動されて冷却風を発生し、Ｂ−ＬＤアレイ部２５を冷却する。
【００２６】
Ｂ−ＬＤアレイ部２５内で上記冷却風に対して上流側、中央、及び下流側にそれぞれ温度センサ３７〜３９を設ける。これら温度センサ３７〜３９での検出温度は、光源駆動部４０に送出される。
【００２７】
この光源駆動部４０は、上記Ｂ−ＬＤアレイ部２５の発光と、上記ファンモータ３６の駆動による冷却ファン３５での冷却風の発生とを合わせて実行する。
【００２８】
また、上記Ｒ−ＬＥＤ２３は、光源駆動部４１に駆動されて赤色光を発する。
【００２９】
上記各回路の動作すべてをＣＰＵ４２が制御する。このＣＰＵ４２は、メインメモリ４３及びプログラムメモリ４４と直接接続される。メインメモリ４３は、例えばＳＲＡＭで構成され、ＣＰＵ４２のワークメモリとして機能する。プログラムメモリ４４は、電気的に書換可能な不揮発性メモリで構成され、ＣＰＵ４２が実行する動作プログラムや各種定型データ等を記憶する。ＣＰＵ４２は、上記メインメモリ４３及びプログラムメモリ４４を用いて、このデータプロジェクタ装置１０内の制御動作を実行する。
【００３０】
上記ＣＰＵ４２は、操作部４５からのキー操作信号に応じて各種投影動作を実行する。  
この操作部３１は、データプロジェクタ装置１０の本体に設けられるキー操作部と、このデータプロジェクタ装置１０専用の図示しないリモートコントローラからの赤外光を受光するレーザ受光部とを含み、ユーザが本体のキー操作部またはリモートコントローラで操作したキーに基づくキー操作信号をＣＰＵ４２へ直接出力する。
【００３１】
［第１の動作例］  
次に上記実施形態の動作について説明する。  
図２は、本実施形態の第１の動作例として、緑色光を発するＧ−ＬＤアレイ部１８の駆動波形を例にとって説明する。以下の制御動作は光源駆動部３４がＣＰＵ４２からの指示に基づいて実行する。
【００３２】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【００３３】
なおこのデータプロジェクタ装置１０では、カラー画像１フレームをＲ（赤），Ｇ（緑），Ｗ（白），Ｃ（シアン）及びＢ（青）の５つのフィールドに分割し、各色フィールドで対応する色を発光してマイクロミラー素子１４に照射させると共に、マイクロミラー素子１４ではその発光色に応じた画像を表示して光像を形成させる。
【００３４】
Ｒ（赤）フィールド、Ｇ（緑）フィールド、及びＢ（青）フィールドでは、ＬＥＤ２３、Ｇ−ＬＤアレイ部１８、及びＢ−ＬＤアレイ部２５がそれぞれ単独で発光する。  
また、Ｗ（白）フィールドでは、Ｒ−ＬＥＤ２３、Ｇ−ＬＤアレイ部１８、及びＢ−ＬＤアレイ部２５が同時に発光し、３混色による白色光をマイクロミラー素子１４に照射する。このときマイクロミラー素子１４では、マトリックス演算  
Ｙ＝０．２９８８Ｒ＋０．５８６８Ｇ＋０．１１４４Ｂ  
に基づく輝度信号Ｙに応じた画像を表示する。
【００３５】
さらにＣ（シアン）フィールドでは、Ｇ−ＬＤアレイ部１８、及びＢ−ＬＤアレイ部２５が同時に発光し、２混色によるシアン色光をマイクロミラー素子１４に照射する。このときマイクロミラー素子１４では、マトリックス演算「Ｃ＝Ｇ＋Ｂ」に基づくシアン色Ｃの画像を表示する。
【００３６】
図２に示すように、Ｇ−ＬＤアレイ部１８は光源駆動部３４の駆動により、１フレーム中の第２フィールドであるＧフィールドから、第４フィールドであるＣフィールドまでの３フィールドに渡って時間的に連続して発光する。
【００３７】
上述した如く光源駆動部３４の駆動によりＧ−ＬＤアレイ部１８は全体が高温を発するため、ファンモータ３０の駆動による冷却ファン２９からの送風で冷却される。
【００３８】
このとき、Ｇ−ＬＤアレイ部１８を構成する個々のＬＤは、冷却風に対する位置によって冷却の度合が異なるため、温度差を生じる。上述した如くＧ−ＬＤアレイ部１８には、上記冷却風に対して上流側、中央、及び下流側にそれぞれ温度センサ３１〜３３を設けており、これら温度センサ３１〜３３は設置された位置の温度を検出して光源駆動部３４に送出する。
【００３９】
光源駆動部３４はこれらの検出温度をＣＰＵ４２へ送信する。これを受けたＣＰＵ４２は、温度センサ３１〜３３での検出温度に応じてＧ−ＬＤアレイ部１８を構成する個々のＬＤの駆動電流値を設定する。
【００４０】
この場合、Ｇ−ＬＤアレイ部１８を例えば３つの領域、すなわち冷却風の上流側、中央、及び下流側の各３行×２列の計６個ずつに区分し、区分した領域毎にＬＤの駆動電流値を設定して光源駆動部３４に指示する。光源駆動部３４は、ＣＰＵ４２からの指示に基づいてＧ−ＬＤアレイ部１８を３つに区分して、各区分に属するＬＤ毎に設定された電流値で駆動する。
【００４１】
図２（Ｂ）〜図２（Ｄ）は、温度センサ３１〜３３での検出温度に応じたＧ−ＬＤアレイ部１８内の各ＬＤの駆動電流の波形を示す。図２（Ｂ）は、検出温度が比較的低い場合（パターン１）の駆動電流値ｉ１を示す。図２（Ｃ）は、検出温度が中庸の場合（パターン２）の駆動電流値ｉ２を示す。図２（Ｄ）は、検出温度が比較的高い場合（パターン３）の駆動電流値ｉ３を示す。上記各駆動電流値は「ｉ１＞ｉ２＞ｉ３」の関係を有する。
【００４２】
以上要するに、検出温度がより高い区分に属するＬＤに対しては駆動電流値を下げることで、そのＬＤの発熱温度を低下させ、発光効率を向上させるものとする。これにより、Ｇ−ＬＤアレイ部１８全体の発光輝度のむらを抑え、均一な面発光による光源とすることができる。
【００４３】
なお、上記ＣＰＵ４２が緑色用の光源駆動部３４に設定する駆動電流値ｉ１〜ｉ３に関しては、他の発光色との色バランスを勘案した上で決定されるため、固定値ではなく、必要により変更されることもあり得る。
【００４４】
このように本動作例によれば、複数の同色半導体発光素子を同時に発光する場合に生じる明るさのむらを解消し、常に明るさを均一に維持することが可能となる。
【００４５】
加えて上記動作例では、温度センサ３１〜３３での検出温度に基づき、光源駆動部３４がＧ−ＬＤアレイ部１８を区分して各区分毎にＬＤの駆動電流値を加減して発熱温度と発光効率を制御するものとしたので、他の発光色との色バランスをも考慮してきめ細かな制御が可能となる。
【００４６】
［第２の動作例］  
図３は、本実施形態の第２の動作例として、緑色光を発するＧ−ＬＤアレイ部１８の駆動波形を例にとって説明する。以下の制御動作は光源駆動部３４がＣＰＵ４２からの指示に基づいて実行する。
【００４７】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【００４８】
カラー画像１フレームの各色フィールドの構成、及び各フィールドで単独あるいは同時に発光する色の光源については上記第１の動作例と同様であるものとする。
【００４９】
なお本動作例では、発光駆動時の駆動電流値はいずれにおいても一定とする一方で、各フィールド期間の切替タイミングを中心として、その前後一定時間Ｔspをスポーク期間Ｔspとし、当該スポーク期間Ｔspを含めるか否かで発光開始及び発光停止のタイミングを調整して、発光のデューティ比を可変するものである。
【００５０】
なお、このスポーク期間Ｔspとは、フィールド期間の切替タイミング時に、先に点灯していた光が残像として残り、隣接するフィールド期間に対応する光の色同士が合わさった混色光が照射される期間のことである。
【００５１】
この期間中の混色光は、マイクロミラー素子１４をオフにして捨てられるか、または、マイクロミラー素子１４をオンにして画像の明るさを高めるための光として用いられる。本動作例ではスポーク期間Ｔspの混色光を画像の明るさを高めるための光として用いている。
【００５２】
図３に示すように、Ｇ−ＬＤアレイ部１８は光源駆動部３４の駆動により、１フレーム中の第２フィールドであるＧフィールドから、第４フィールドであるＣフィールドまでの３フィールドに渡って時間的に連続して発光する。
【００５３】
上述した如く光源駆動部３４の駆動によりＧ−ＬＤアレイ部１８は全体が高温を発するため、ファンモータ３０の駆動による冷却ファン２９からの送風で冷却される。
【００５４】
このとき、Ｇ−ＬＤアレイ部１８を構成する個々のＬＤは、冷却風に対する位置によって冷却の度合が異なるため、温度差を生じる。上述した如くＧ−ＬＤアレイ部１８には、上記冷却風に対して上流側、中央、及び下流側にそれぞれ温度センサ３１〜３３を設けており、これら温度センサ３１〜３３は設置された位置の温度を検出して光源駆動部３４に送出する。
【００５５】
光源駆動部３４はこれらの検出温度をＣＰＵ４２へ送信する。これを受けたＣＰＵ４２は、温度センサ３１〜３３での検出温度に応じてＧ−ＬＤアレイ部１８を構成する個々のＬＤの発光のデューティ比を設定する。
【００５６】
この場合、Ｇ−ＬＤアレイ部１８を例えば３つの領域、すなわち冷却風の上流側、中央、及び下流側の各３行×２列の計６個ずつに区分し、区分した領域毎に各対応フィールドにおけるスポーク期間Ｔspの駆動のオン／オフを勘案して光源駆動部３４に指示する。光源駆動部３４は、ＣＰＵ４２からの指示に基づいてＧ−ＬＤアレイ部１８を３つに区分して、各区分に属するＬＤ毎に設定されたスポーク期間Ｔspを勘案したタイミングで駆動する。
【００５７】
図３（Ｂ）〜図３（Ｄ）は、温度センサ３１〜３３での検出温度に応じたＧ−ＬＤアレイ部１８内の各ＬＤの駆動電流の波形を示す。  
図３（Ｂ）は、検出温度が比較的低い場合（パターン１）の駆動電流波形を示す。このとき、本来のフィールド期間に加えて、ＲフィールドとＧフィールド間のスポーク期間Ｔspも発光するものとして発光開始のタイミングを早めると共に、ＣフィールドとＢフィールド間のスポーク期間Ｔspも発光するものとして発光停止のタイミングを遅くするようにしている。
【００５８】
図３（Ｃ）は、検出温度が中庸の場合（パターン２）の駆動電流波形を示す。このときはスポーク期間Ｔspを含まず、本来のフィールド期間のタイミングに従い、Ｇフィールドの開始に合わせて発光を開始し、Ｃフィールドの終了に合わせて発光を停止するものとしている。
【００５９】
図３（Ｄ）は、検出温度が比較的高い場合（パターン３）の駆動電流波形を示す。このとき、本来のフィールド期間よりも遅く、Ｇフィールドを開始した後にスポーク期間Ｔspも終了するタイミングで発光を開始し、ＣフィールドでＢフィールドの間のスポーク期間Ｔspが始まるタイミングで発光を停止するようにしている。
【００６０】
以上要するに、各フィールド間にスポーク期間Ｔspを設定し、当該スポーク期間Ｔspを含めるか否かで発光時間のデューティ比を加減するべく、検出温度がより高い区分に属するＬＤに対しては発光時間のデューティ比を下げることで、そのＬＤの発熱温度を低下させ、発光効率を向上させるものとする。これにより、Ｇ−ＬＤアレイ部１８全体の発光輝度のむらを抑え、均一な面発光による光源とすることができる。
【００６１】
加えて上記動作例では、各フィールド間にスポーク期間Ｔspを設定したことにより、本実施形態のように３原色の光源を別個に有する装置のみならず、単色あるいは２色の光源を複数色のカラーフィルタあるいは蛍光フィルタを周面に備えたカラーホイールを用いて３原色あるいはそれ以上の数の色光源を得るようにした装置に適用すると、本来考慮すべき各フィルタ間の切替タイミングに基づくスポーク期間Ｔspを有効に活用して発光面のむらを抑制する制御も併せて実行できるため、制御を複雑化することなく同制御を実現できる。
【００６２】
［第３の動作例］  
図４は、本実施形態の第３の動作例として、緑色光を発するＧ−ＬＤアレイ部１８の駆動波形を例にとって説明する。以下の制御動作は光源駆動部３４がＣＰＵ４２からの指示に基づいて実行する。
【００６３】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【００６４】
カラー画像１フレームの各色フィールドの構成については上記第１の動作例と同様であるものとする。
【００６５】
なお本動作例では、発光駆動時の駆動電流値はいずれにおいても一定とする一方で、原色の光源が単独で発光する場合を除いて、他の光源と同時に発光して混色光を得る場合の発光の有無を調整して、発光のデューティ比を可変するものである。
【００６６】
図４に示すように、Ｇ−ＬＤアレイ部１８は光源駆動部３４の駆動により、１フレーム中の第２フィールドであるＧフィールドから、最長では第４フィールドであるＣフィールドまでの３フィールドに渡って時間的に連続して発光する。
【００６７】
上述した如く光源駆動部３４の駆動によりＧ−ＬＤアレイ部１８は全体が高温を発するため、ファンモータ３０の駆動による冷却ファン２９からの送風で冷却される。
【００６８】
このとき、Ｇ−ＬＤアレイ部１８を構成する個々のＬＤは、冷却風に対する位置によって冷却の度合が異なるため、温度差を生じる。上述した如くＧ−ＬＤアレイ部１８には、上記冷却風に対して上流側、中央、及び下流側にそれぞれ温度センサ３１〜３３を設けており、これら温度センサ３１〜３３は設置された位置の温度を検出して光源駆動部３４に送出する。
【００６９】
光源駆動部３４はこれらの検出温度をＣＰＵ４２へ送信する。これを受けたＣＰＵ４２は、温度センサ３１〜３３での検出温度に応じてＧ−ＬＤアレイ部１８を構成する個々のＬＤの発光のデューティ比を設定する。
【００７０】
この場合、Ｇ−ＬＤアレイ部１８を例えば３つの領域、すなわち冷却風の上流側、中央、及び下流側の各３行×２列の計６個ずつに区分し、区分した領域毎に各対応フィールド期間における駆動のオン／オフを勘案して光源駆動部３４に指示する。光源駆動部３４は、ＣＰＵ４２からの指示に基づいてＧ−ＬＤアレイ部１８を３つに区分して、各区分に属するＬＤ毎に設定されたフィールド期間を勘案したタイミングで駆動する。
【００７１】
図４（Ｂ）〜図４（Ｄ）は、温度センサ３１〜３３での検出温度に応じたＧ−ＬＤアレイ部１８内の各ＬＤの駆動電流の波形を示す。  
図４（Ｂ）は、検出温度が比較的低い場合（パターン１）の駆動電流波形を示す。このとき、単独で発光するＧフィールド期間に加えて、続くＷフィールド期間とＣフィールド期間の計３フィールド期間で連続して発光するようにしている。
【００７２】
図４（Ｃ）は、検出温度が中庸の場合（パターン２）の駆動電流波形を示す。このときはＣフィールド期間での発光は行なわず、単独で発光するＧフィールド期間に加えて、続くＷフィールド期間との計２フィールド期間で連続して発光するようにしている。
【００７３】
図４（Ｄ）は、検出温度が比較的高い場合（パターン３）の駆動電流波形を示す。このときは、Ｗフィールド期間及びＣフィールド期間での発光は共に行なわず、単独で発光するＧフィールド期間の計１フィールド期間のみ発光するようにしている。
【００７４】
以上要するに、原色光を単独で発光させるフィールド期間には当該光源を確実に発光させる一方で、原色光を他の原色光と併せて混色で発光させるフィールド期間での発光を調整するようにしている。
【００７５】
これにより、Ｇ−ＬＤアレイ部１８全体の発光輝度のむらを抑え、均一な面発光による光源とすることができる。  
加えて、補色発光時の明るさは低下するものの、原色発光時の明るさを低下させず、そのために画像の精細度を落とさずに明るさのむらを改善できる。
【００７６】
さらに上記第２及び第３の動作例では、ＬＤの駆動電流値を一定にしたままで発光デューティ比を制御するものとした。これにより、半導体発光素子であるＬＤを最も発光効率の高い状態に維持して駆動しながら、デューティ比を調整することで発熱による温度の影響を排除することができる。
【００７７】
（第２の実施形態）  
［構成］  
以下本発明をＤＬＰ（登録商標）方式のデータプロジェクタ装置に適用した場合の第２の実施形態について図面を参照して説明する。
【００７８】
図５は、本実施形態に係るデータプロジェクタ装置１０′の概略機能構成を示す図である。  
なお、制御検出系を除いては、上記図１に示した構成と基本的に同一であるため、同一部分には同一符号を付してその説明を省略する。
【００７９】
上記図１における、Ｇ−ＬＤアレイ部１８に対する温度センサ３１〜３３、及びＢ−ＬＤアレイ部２５に対する温度センサ３７〜３９を廃する。
【００８０】
代わって、マイクロミラー素子１４によるオフ光、すなわち光像形成のために投影レンズ部１７方向に反射されなかった光が照射される位置に面照度センサ５１を設ける。
【００８１】
面照度センサ５１を上記オフ光の照射位置に配置することにより、マイクロミラー素子１４で形成される光像に干渉することなくマイクロミラー素子１４に照射される光源の照度を検出できる。
【００８２】
この面照度センサ５１は、例えばマイクロミラー素子１４で全面が黒となる画像の表示を行ない、結果として光源部１５からの光全面分をオフ光として投影レンズ部１７に入射させずに反射した場合に、当該面照射位置の複数エリア、例えば画像を縦３×横３に分割して計９個のエリアに分割して各エリアでの照度を検出する。この面照度センサ５１での検出結果は、システムバスＳＢを介して上記ＣＰＵ４２に送られる。
【００８３】
なお、上述したように面照度センサ５１を上記オフ光の照射位置に配置することにより、マイクロミラー素子１４で形成されて投影レンズ部１７により投影に使用される光像に影響することなく、マイクロミラー素子１４に照射される光源の照度を検出できる。
【００８４】
ＣＰＵ４２は、上記面照度センサ５１からの検出信号を解析することにより、Ｇ−ＬＤアレイ部１８及びＢ−ＬＤアレイ部２５をそれぞれ３つに区分した領域毎の発光輝度を推測し、当該領域に配置されたＬＤの駆動電流値、あるいは発光のデューティ比を制御する。
【００８５】
［第１の動作例］  
次に上記実施形態の動作について説明する。  
図２は、本実施形態の第１の動作例として、緑色光を発するＧ−ＬＤアレイ部１８の駆動波形を例にとって説明する。以下の制御動作は光源駆動部３４がＣＰＵ４２からの指示に基づいて実行する。
【００８６】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【００８７】
なおこのデータプロジェクタ装置１０′では、カラー画像１フレームをＲ（赤），Ｇ（緑），Ｗ（白），Ｃ（シアン）及びＢ（青）の５つのフィールドに分割し、各色フィールドで対応する色を発光してマイクロミラー素子１４に照射させると共に、マイクロミラー素子１４ではその発光色に応じた画像を表示して光像を形成させる。
【００８８】
Ｒ（赤）フィールド、Ｇ（緑）フィールド、及びＢ（青）フィールドでは、ＬＥＤ２３、Ｇ−ＬＤアレイ部１８、及びＢ−ＬＤアレイ部２５がそれぞれ単独で発光する。  
また、Ｗ（白）フィールドでは、Ｒ−ＬＥＤ２３、Ｇ−ＬＤアレイ部１８、及びＢ−ＬＤアレイ部２５が同時に発光し、３混色による白色光をマイクロミラー素子１４に照射する。このときマイクロミラー素子１４では、輝度信号に応じた画像を表示する。
【００８９】
さらにＣ（シアン）フィールドでは、Ｇ−ＬＤアレイ部１８、及びＢ−ＬＤアレイ部２５が同時に発光し、２混色によるシアン色光をマイクロミラー素子１４に照射する。このときマイクロミラー素子１４では、シアン色Ｃの画像を表示する。
【００９０】
図２に示すように、Ｇ−ＬＤアレイ部１８は光源駆動部３４の駆動により、１フレーム中の第２フィールドであるＧフィールドから、第４フィールドであるＣフィールドまでの３フィールドに渡って時間的に連続して発光する。
【００９１】
上述した如く光源駆動部３４の駆動によりＧ−ＬＤアレイ部１８は全体が高温を発するため、ファンモータ３０の駆動による冷却ファン２９からの送風で冷却される。
【００９２】
このとき、Ｇ−ＬＤアレイ部１８を構成する個々のＬＤは、冷却風に対する位置によって冷却の度合が異なるために温度差を生じ、それにより発光効率が変化する。上述した如くマイクロミラー素子１４による反射光のうち、投影レンズ部１７側には到達しないオフ光の照射位置には面照度センサ５１が配設される。
【００９３】
ＣＰＵ４２は、投影動作中のユーザ等には視覚的に認識できない１画像フレーム分だけ、マイクロミラー素子１４で全面が黒となる画像、あるいは予め用意されたテスト用のチャートパターン画像の表示を行なわせる。このとき面照度センサ５１で得られる複数エリア毎の照度の検出結果から、ＣＰＵ４２がＧ−ＬＤアレイ部１８を構成する個々のＬＤの駆動電流値を設定する。
【００９４】
この場合、Ｇ−ＬＤアレイ部１８を例えば３つの領域、すなわち冷却風の上流側、中央、及び下流側の各３行×２列の計６個ずつに区分し、区分した領域毎にＬＤの駆動電流値を設定して光源駆動部３４に指示する。光源駆動部３４は、ＣＰＵ４２からの指示に基づいてＧ−ＬＤアレイ部１８を３つに区分して、各区分に属するＬＤ毎に設定された電流値で駆動する。
【００９５】
図２（Ｂ）〜図２（Ｄ）は、面照度センサ５１で検出した照度に応じたＧ−ＬＤアレイ部１８内の各ＬＤの駆動電流の波形を示す。図２（Ｂ）は、照度が比較的高い場合（パターン１）の駆動電流値ｉ１を示す。図２（Ｃ）は、照度が中庸の場合（パターン２）の駆動電流値ｉ２を示す。図２（Ｄ）は、照度が比較的低い場合（パターン３）の駆動電流値ｉ３を示す。上記各駆動電流値は「ｉ１＞ｉ２＞ｉ３」の関係を有する。
【００９６】
以上要するに、照度が低い区分に属するＬＤに対しては駆動電流値を下げることで、そのＬＤの発熱温度を低下させ、発光効率を向上させるものとする。これにより、Ｇ−ＬＤアレイ部１８全体の発光輝度のむらを抑え、均一な面発光による光源とすることができる。
【００９７】
なお、上記ＣＰＵ４２が緑色用の光源駆動部３４に設定する駆動電流値ｉ１〜ｉ３に関しては、他の発光色との色バランスを勘案した上で決定されるため、固定値ではなく、必要により変更されることもあり得る。
【００９８】
このように本動作例によれば、光像を出射する側に配置された面照度センサ５１で照度を直接検出することで、Ｇ−ＬＤアレイ部１８全体の明るさのむらを確実に解消し、常に明るさを均一に維持することが可能となる。
【００９９】
加えて上記動作例では、面照度センサ５１で検出した照度に基づき、光源駆動部３４がＣＰＵ４２の制御の下にＧ−ＬＤアレイ部１８を区分して各区分毎にＬＤの駆動電流値を加減して発熱温度と発光効率を制御するものとしたので、他の発光色との色バランスをも考慮してきめ細かな制御が可能となる。
【０１００】
［第２の動作例］  
図３は、本実施形態の第２の動作例として、緑色光を発するＧ−ＬＤアレイ部１８の駆動波形を例にとって説明する。以下の制御動作は光源駆動部３４がＣＰＵ４２からの指示に基づいて実行する。
【０１０１】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【０１０２】
カラー画像１フレームの各色フィールドの構成、及び各フィールドで単独あるいは同時に発光する色の光源については上記第１の動作例と同様であるものとする。
【０１０３】
なお本動作例では、発光駆動時の駆動電流値はいずれにおいても一定とする一方で、各フィールド期間の切替タイミングを中心として、その前後一定時間Ｔspをスポーク期間Ｔspとし、当該スポーク期間Ｔspを含めるか否かで発光開始及び発光停止のタイミングを調整して、発光のデューティ比を可変するものである。
【０１０４】
なお、このスポーク期間Ｔspとは、フィールド期間の切替タイミング時に、先に点灯していた光が残像として残り、隣接するフィールド期間に対応する光の色同士が合わさった混色光が照射される期間のことである。
【０１０５】
この期間中の混色光は、マイクロミラー素子１４をオフにして捨てられるか、または、マイクロミラー素子１４をオンにして画像の明るさを高めるための光として用いられる。本動作例ではスポーク期間Ｔspの混色光を画像の明るさを高めるための光として用いている。
【０１０６】
図３に示すように、Ｇ−ＬＤアレイ部１８は光源駆動部３４の駆動により、１フレーム中の第２フィールドであるＧフィールドから、第４フィールドであるＣフィールドまでの３フィールドに渡って時間的に連続して発光する。
【０１０７】
上述した如く光源駆動部３４の駆動によりＧ−ＬＤアレイ部１８は全体が高温を発するため、ファンモータ３０の駆動による冷却ファン２９からの送風で冷却される。
【０１０８】
このとき、Ｇ−ＬＤアレイ部１８を構成する個々のＬＤは、冷却風に対する位置によって冷却の度合が異なるために温度差を生じ、それにより発光効率が変化する。上述した如くマイクロミラー素子１４による反射光のうち、投影レンズ部１７側には到達しないオフ光の照射位置には面照度センサ５１が配設される。
【０１０９】
ＣＰＵ４２は、投影動作中のユーザ等には視覚的に認識できない１画像フレーム分だけ、マイクロミラー素子１４で全面が黒となる画像、あるいは予め用意されたテスト用のチャートパターン画像の表示を行なわせる。このとき面照度センサ５１で得られる複数エリア毎の照度の検出結果から、ＣＰＵ４２がＧ−ＬＤアレイ部１８を構成する個々のＬＤの発光のデューティ比を設定する。
【０１１０】
この場合、Ｇ−ＬＤアレイ部１８を例えば３つの領域、すなわち冷却風の上流側、中央、及び下流側の各３行×２列の計６個ずつに区分し、区分した領域毎に各対応フィールドにおけるスポーク期間Ｔspの駆動のオン／オフを勘案して光源駆動部３４に指示する。光源駆動部３４は、ＣＰＵ４２からの指示に基づいてＧ−ＬＤアレイ部１８を３つに区分して、各区分に属するＬＤ毎に設定されたスポーク期間Ｔspを勘案したタイミングで駆動する。
【０１１１】
図３（Ｂ）〜図３（Ｄ）は、面照度センサ５１で検出した照度に応じたＧ−ＬＤアレイ部１８内の各ＬＤの駆動電流の波形を示す。  
図３（Ｂ）は、照度が比較的高いエリアに対応していると思われるＬＤに対する駆動電流波形（パターン１）を示す。このとき、本来のフィールド期間に加えて、ＲフィールドとＧフィールド間のスポーク期間Ｔspも発光するものとして発光開始のタイミングを早めると共に、ＣフィールドとＢフィールド間のスポーク期間Ｔspも発光するものとして発光停止のタイミングを遅くするようにしている。
【０１１２】
図３（Ｃ）は、照度が中庸のエリアに対応していると思われるＬＤに対する駆動電流波形（パターン２）を示す。このときはスポーク期間Ｔspを含まず、本来のフィールド期間のタイミングに従い、Ｇフィールドの開始に合わせて発光を開始し、Ｃフィールドの終了に合わせて発光を停止するものとしている。
【０１１３】
図３（Ｄ）は、照度が比較的低いエリアに対応していると思われるＬＤに対する駆動電流波形（パターン３）を示す。このとき、本来のフィールド期間よりも遅く、Ｇフィールドを開始した後にスポーク期間Ｔspも終了するタイミングで発光を開始し、ＣフィールドでＢフィールドの間のスポーク期間Ｔspが始まるタイミングで発光を停止するようにしている。
【０１１４】
以上要するに、各フィールド間にスポーク期間Ｔspを設定し、当該スポーク期間Ｔspを含めるか否かで発光時間のデューティ比を加減するべく、照度が低いエリアに対応していると思われるＬＤに対しては発光時間のデューティ比を下げることで、そのＬＤの発熱温度を低下させ、発光効率を向上させるものとする。
【０１１５】
これにより、光像を出射する側に配置された面照度センサ５１で照度を直接検出することで、Ｇ−ＬＤアレイ部１８全体の発光輝度のむらを抑え、常に明るさを均一に維持することが可能となる。
【０１１６】
加えて上記動作例では、各フィールド間にスポーク期間Ｔspを設定したことにより、本実施形態のように３原色の光源を別個に有する装置のみならず、単色あるいは２色の光源を複数色のカラーフィルタあるいは蛍光フィルタを周面に備えたカラーホイールを用いて３原色あるいはそれ以上の数の色光源を得るようにした装置に適用すると、本来考慮すべき各フィルタ間の切替タイミングに基づくスポーク期間Ｔspを有効に活用して発光面のむらを抑制する制御も併せて実行できるため、制御を複雑化することなく同制御を実現できる。
【０１１７】
［第３の動作例］  
図４は、本実施形態の第３の動作例として、緑色光を発するＧ−ＬＤアレイ部１８の駆動波形を例にとって説明する。以下の制御動作は光源駆動部３４がＣＰＵ４２からの指示に基づいて実行する。
【０１１８】
なお、内容が重複するために説明を省略するが、同様の構成をとるＢ−ＬＤアレイ部２５でも光源駆動部４０及びＣＰＵ４２により発光のタイミング（フィールド）は異なるものの、同様の制御が実行される。
【０１１９】
カラー画像１フレームの各色フィールドの構成については上記第１の動作例と同様であるものとする。
【０１２０】
なお本動作例では、発光駆動時の駆動電流値はいずれにおいても一定とする一方で、原色の光源が単独で発光する場合を除いて、他の光源と同時に発光して混色光を得る場合の発光の有無を調整して、発光のデューティ比を可変するものである。
【０１２１】
図４に示すように、Ｇ−ＬＤアレイ部１８は光源駆動部３４の駆動により、１フレーム中の第２フィールドであるＧフィールドから、最長では第４フィールドであるＣフィールドまでの３フィールドに渡って時間的に連続して発光する。
【０１２２】
上述した如く光源駆動部３４の駆動によりＧ−ＬＤアレイ部１８は全体が高温を発するため、ファンモータ３０の駆動による冷却ファン２９からの送風で冷却される。
【０１２３】
このとき、Ｇ−ＬＤアレイ部１８を構成する個々のＬＤは、冷却風に対する位置によって冷却の度合が異なるために温度差を生じ、それにより発光効率が変化する。上述した如くマイクロミラー素子１４による反射光のうち、投影レンズ部１７側には到達しないオフ光の照射位置には面照度センサ５１が配設される。
【０１２４】
ＣＰＵ４２は、投影動作中のユーザ等には視覚的に認識できない１画像フレーム分だけ、マイクロミラー素子１４で全面が黒となる画像、あるいは予め用意されたテスト用のチャートパターン画像の表示を行なわせる。このとき面照度センサ５１で得られる複数エリア毎の照度の検出結果から、ＣＰＵ４２がＧ−ＬＤアレイ部１８を構成する個々のＬＤの発光のデューティ比を設定する。
【０１２５】
この場合、Ｇ−ＬＤアレイ部１８を例えば３つの領域、すなわち冷却風の上流側、中央、及び下流側の各３行×２列の計６個ずつに区分し、区分した領域毎に各対応フィールド期間における駆動のオン／オフを勘案して光源駆動部３４に指示する。光源駆動部３４は、ＣＰＵ４２からの指示に基づいてＧ−ＬＤアレイ部１８を３つに区分して、各区分に属するＬＤ毎に設定されたフィールド期間を勘案したタイミングで駆動する。
【０１２６】
図４（Ｂ）〜図４（Ｄ）は、面照度センサ５１で検出した照度に応じたＧ−ＬＤアレイ部１８内の各ＬＤの駆動電流の波形を示す。  
図４（Ｂ）は、照度が比較的高いエリアに対応していると思われるＬＤに対する駆動電流波形（パターン１）を示す。このとき、単独で発光するＧフィールド期間に加えて、続くＷフィールド期間とＣフィールド期間の計３フィールド期間で連続して発光するようにしている。
【０１２７】
図４（Ｃ）は、照度が中庸であるエリアに対応していると思われるＬＤに対する駆動電流波形（パターン２）を示す。このときはＣフィールド期間での発光は行なわず、単独で発光するＧフィールド期間に加えて、続くＷフィールド期間との計２フィールド期間で連続して発光するようにしている。
【０１２８】
図４（Ｄ）は、照度が比較的低いエリアに対応していると思われるＬＤに対する駆動電流波形（パターン３）を示す。このときは、Ｗフィールド期間及びＣフィールド期間での発光は共に行なわず、単独で発光するＧフィールド期間の計１フィールド期間のみ発光するようにしている。
【０１２９】
以上要するに、原色光を単独で発光させるフィールド期間には当該光源を確実に発光させる一方で、原色光を他の原色光と併せて混色で発光させるフィールド期間での発光を調整するようにしている。
【０１３０】
これにより、光像を出射する側に配置された面照度センサ５１で照度を直接検出することで、Ｇ−ＬＤアレイ部１８全体の発光輝度のむらを抑え、常に明るさを均一に維持することが可能となる。  
加えて、補色発光時の明るさは低下するものの、原色発光時の明るさを低下させず、そのために画像の精細度を落とさずに明るさのむらを改善できる。
【０１３１】
さらに上記第２及び第３の動作例では、ＬＤの駆動電流値を一定にしたままで発光デューティ比を制御するものとした。これにより、半導体発光素子であるＬＤを最も発光効率の高い状態に維持して駆動しながら、デューティ比を調整することで発熱による温度の影響を排除することができる。
【０１３２】
なお上記実施形態では、３原色Ｒ，Ｇ，Ｂを発生する光源として、各原色を発光する独立した半導体発光素子を用いた光源部１５を用いる場合について説明したが、本発明はそのような構成に限定しない。
【０１３３】
例えばＧ（緑色）光を発する構成として、本来のＢ（青色）光用のＬＤとは別に設けたＢ（青色）光を発するＬＤと、周面全面に蛍光体を塗布した蛍光ホイールとを用い、回転する上記蛍光ホイールの周面に青色のレーザ光を照射して、その蛍光作用により発せられるＧ（緑色）光を得るような構成が考えられる。
【０１３４】
また、３原色独立した光源ではなく、例えば上述した蛍光ホイールに代えて、周面を円周方向に２分割して一方に蛍光体を塗布し、他方を磨り硝子状の透過光像として、１つのＢ（青色）光用のＬＤから時分割でＧ（緑色）光及びＢ（青色）光を得るものとすれば、２色光源でも本発明を実現できる。
【０１３５】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１３６】
以下に、本願出願の当所の特許請求の範囲に記載された発明を付記する。
【０１３７】
請求項１記載の発明は、同色で同時に発光する複数の半導体発光素子と、上記複数の半導体発光素子を冷却する冷却手段と、上記複数の半導体発光素子に対し、上記冷却手段による冷却効果が異なる複数の位置の温度を検出する検出手段と、上記検出手段での検出結果に基づき、上記複数の半導体発光素子を区分して当該複数の半導体発光素子の発光状態をそれぞれ制御する発光制御手段とを具備したことを特徴とする。
【０１３８】
請求項２記載の発明は、同色で同時に発光する複数の半導体発光素子と、上記複数の半導体発光素子の発光により得られる発光面内の複数の位置の照度を検出する検出手段と、上記検出手段での検出結果に基づき、上記複数の半導体発光素子を区分して当該複数の半導体発光素子の発光状態をそれぞれ制御する発光制御手段とを具備したことを特徴とする。
【０１３９】
請求項３記載の発明は、上記請求項１または２記載の発明において、上記発光制御手段は、上記複数の半導体発光素子を区分して当該複数の半導体発光素子の発光デューティ比をそれぞれ制御することを特徴とする。
【０１４０】
請求項４記載の発明は、上記請求項３記載の発明において、上記複数の半導体発光素子は原色光を発光し、上記発光制御手段は、上記複数の半導体発光素子と上記複数の半導体発光素子以外の他の原色光発光体とが同時に発光することで発生させる混色光発光の有無により、上記複数の半導体発光素子を区分して当該複数の半導体発光素子の発光デューティ比をそれぞれ制御することを特徴とする。
【０１４１】
請求項５記載の発明は、上記請求項３記載の発明において、上記発光制御手段は、時分割駆動で割り当てられた上記複数の半導体発光素子の発光期間に対する、発光開始及び発光停止の少なくとも一方のタイミング調整により上記複数の半導体発光素子を区分して当該複数の半導体発光素子の発光デューティ比をそれぞれ制御することを特徴とする。
【０１４２】
請求項６記載の発明は、上記請求項１または２記載の発明において、上記発光制御手段は、上記複数の半導体発光素子の駆動電流及び駆動電圧の少なくとも一方を制御することを特徴とする。
【０１４３】
請求項７記載の発明は、同色で同時に発光する複数の半導体発光素子、上記複数の半導体発光素子を冷却する冷却部、上記複数の半導体発光素子に対し、上記冷却部による冷却効果が異なる複数の位置の温度を検出する検出部、及び、上記検出部での検出結果に基づき、上記複数の半導体発光素子を区分して当該複数の半導体発光素子の発光状態をそれぞれ制御する発光制御部を有する光源と、画像信号を入力する入力手段と、上記入力手段で入力した画像信号に基づき、上記光源からの光を用いて光像を形成する光像形成手段と、上記光像形成手段で形成した光像を投影対象に向けて投影する投影手段とを具備したことを特徴とする。
【０１４４】
請求項８記載の発明は、同色で同時に発光する複数の半導体発光素子、上記複数の半導体発光素子の発光により得られる発光面内の複数の位置の照度を検出する検出部、及び、上記検出部での検出結果に基づき、上記複数の半導体発光素子を区分して当該複数の半導体発光素子の発光状態をそれぞれ制御する発光制御部を有する光源と、画像信号を入力する入力手段と、上記入力手段で入力した画像信号に基づき、上記光源からの光を用いて光像を形成する光像形成手段と、上記光像形成手段で形成した光像を投影対象に向けて投影する投影手段とを具備したことを特徴とする。
【０１４５】
請求項９記載の発明は、上記請求項８記載の発明において、上記光像形成手段は、上記光源からの光を反射する反射光の方向を振り分けて光像を形成し、上記検出部は、上記光像形成手段により上記投影手段方向に反射されなかった反射光を用いて発光面内の複数の位置の照度を検出することを特徴とする。
【０１４６】
請求項１０記載の発明は、同色で同時に発光する複数の半導体発光素子、及び上記複数の半導体発光素子を冷却する冷却部を備えた装置での光源制御方法であって、上記複数の半導体発光素子に対し、上記冷却手段による冷却効果が異なる複数の位置の温度を検出する検出工程と、上記検出工程での検出結果に基づき、上記複数の半導体発光素子を区分して当該複数の半導体発光素子の発光状態をそれぞれ制御する制御工程とを有したことを特徴とする。
【０１４７】
請求項１１記載の発明は、同色で同時に発光する複数の半導体発光素子を備えた装置での光源制御方法であって、上記複数の半導体発光素子の発光により得られる発光面内の複数の位置の照度を検出する検出工程と、上記検出工程での検出結果に基づき、上記複数の半導体発光素子を区分して当該複数の半導体発光素子の発光状態をそれぞれ制御する制御工程とを有したことを特徴とする。
【符号の説明】
【０１４８】
１０，１０′…データプロジェクタ装置、１１…入力部、１２…画像変換部、１３…投影画像駆動部、１４…マイクロミラー素子、１５…光源部、１６…ミラー、１７…投影レンズ部、１８…Ｇ−ＬＤアレイ部、１９…ミラーアレイ部、２０…集光レンズ部、２１…ダイクロイックミラー、２２…インテグレータ、２３…Ｒ−ＬＥＤ、２４…ダイクロイックミラー、２５…Ｂ−ＬＤアレイ部、２６…ミラーアレイ部、２７…集光レンズ部、２８…ミラー、２９…冷却ファン、３０…ファンモータ（Ｍ）、３１〜３３…温度センサ、３４…光源駆動部、３５…冷却ファン、３６…ファンモータ（Ｍ）、３７〜３９…温度センサ、４０…光源駆動部、４１…光源駆動部、４２…ＣＰＵ、４３…メインメモリ、４４…プログラムメモリ、４５…操作部、５１…面照度センサ、ＳＢ…システムバス。
【図１】
0005760455.tif 000002
【図２】
0005760455.tif 000003
【図３】
0005760455.tif 000004
【図４】
0005760455.tif 000005
【図５】
0005760455.tif 000006